(57)【要約】      （修正有）【課題】服地に送風機能を具備した空調被服を着用する人にとって、使い勝手の良い空調被服と、この空調被服に装着される空調被服用送風ユニットを提供する。【解決手段】空調被服用送風ユニット１０Ａは、プロペラ２１の回転を制御する駆動部２２とケーシング３０を備え、ケーシング３０は、プロペラ２１の軸Ｋ方向の風上側Ｕで、プロペラ２１を横切って覆う外側ケース部３１と、駆動部２２を覆う内側ケース部３６とからなり、外側ケース部３１の周りに形成されたフランジ３２と、対向した位置に配置可能な押圧部４１を含む押圧部材４０を備える。空調被服用送風ユニット１０Ａは、空調被服の服地の外側からの挿入により、服地の開口の外周縁部にフランジ３２を当接させた状態で、開口に外側ケース部３１を配置すると共に、フランジ３２と押圧部４１で服地を挟み、押圧部材４０を螺合で固着して服地に固定される。【選択図】図２
0003213564.tif 000002
【実用新案登録請求の範囲】
【請求項１】
服地に送風機能を具備した空調被服に装着する空調被服用送風ユニットで、プロペラを有し、該プロペラの回転をモータにより制御する駆動部と、該プロペラと該駆動部の周囲を通気可能に覆うケーシングと、を備える空調被服用送風ユニットにおいて、
前記ケーシングは、前記プロペラの軸方向のうち、前記プロペラの回転により送風する風上側で、前記プロペラを前記プロペラの径方向に横切って覆う外側ケース部と、前記駆動部と接続した状態で、少なくとも前記駆動部の一部を覆う内側ケース部とからなり、
前記外側ケース部には、当該外側ケース部の周りを囲うフランジが形成されていること、
前記フランジと対向した位置に配置可能な押圧部を含む押圧部材を備えていること、
当該空調被服用送風ユニットは、前記服地の外側からの挿入により、前記服地に形成された開口の外周縁部に前記フランジを当接させた状態で、前記開口に前記外側ケース部を配置すると共に、前記フランジと前記押圧部で前記外周縁部を挟み、前記押圧部材を螺合で固着することにより、前記服地に固定されること、
を特徴とする空調被服用送風ユニット。
【請求項２】
請求項１に記載する空調被服用送風ユニットにおいて、
前記押圧部材は、軸方向片側の先端に前記押圧部を有した円筒状に形成され、前記押圧部材の内周に、雌ネジが形成されていること、
前記内側ケース部を設けた内側ケース周壁部の外周には、前記雌ネジと螺合可能な雄ネジが形成されていること、
を特徴とする空調被服用送風ユニット。
【請求項３】
請求項１に記載する空調被服用送風ユニットにおいて、
前記外側ケース部と前記内側ケース部とは、互いに別体であり、
前記外側ケース部を設けたカバーは、前記フランジである第１フランジと、前記第１フランジの周方向に沿う位置に外側ケース周壁部を有し、前記外側ケース周壁部には、雄ネジまたは雌ネジのいずれか一方である第１ネジが形成されていること、
前記内側ケース部を設けた本体は、前記プロペラの周方向に沿う位置に内側ケース周壁部と、前記押圧部である第２フランジを前記内側ケース周壁部の端に有して前記押圧部材をなし、前記内側ケース周壁部には、前記第１ネジと螺合可能で、雌ネジまたは雄ネジのいずれか一方である第２ネジがされていること、
前記カバーと前記本体とは、前記第１ネジと前記第２ネジとの螺合により組み付けられ、前記第１フランジと前記第２フランジで前記外周縁部を挟み込んで、前記服地に固定されること、
を特徴とする空調被服用送風ユニット。
【請求項４】
送風を行う空調被服用送風ユニットが服地に装着された空調被服において、
前記空調被服用送風ユニットは、請求項１乃至請求項３のいずれか１つに記載する空調被服用送風ユニットであること、
を特徴とする空調被服。
【考案の詳細な説明】
【技術分野】
【０００１】
本考案は、主に作業服等を対象とした被服に送風機能を具備した空調被服、及びこの空調被服に装着される空調被服用送風ユニットに関する。
【背景技術】
【０００２】
人にとって不快な猛暑日の日数は近年、年間を通じて数多くあり、このような猛暑日には、小まめな水分補給の実施や、適度な冷房装置の使用が、熱中症の防止策として、至る所で奨励されている。しかしながら、冷房装置の設備がない、または冷房の効きが十分でない等の理由により、屋内でも暑い環境下で作業を強いられて働く作業者や、屋外で働く作業者のほか、炎天下でレクリエーションやスポーツ、観戦等の行事を行っている人は、冷房装置による涼を取ることはできない。そこで、この問題の解決策の一つとして、空調被服が開発されており、その空調被服の一例が、特許文献１に開示されている。
【０００３】
特許文献１は、モータの回転軸に取付けたプロペラと、このプロペラのケーシングを有した送風装置を、服に開けたファン取付用孔部に装着したファン露出型空調服である。ファン露出型空調服には、ファン取付用孔部より大きい外部取付部品のフランジ部が、服地に、外側から接した状態で取付けられ、送風装置のケーシングのフランジ部が、服地の内側に、ケーシングのファンガード部材を服のファン取付用孔部から露出した態様で外部取付部品のフランジ部に連結されている。ケーシングのフランジ部は、外部取付部品のフランジ部に形成された突起状の保持ベルト取付部に、ケーシングのフランジ部に形成した切欠きを位置合わせした状態で、外部取付部品のフランジ部に取付けられ、服の内側では、伸縮性のある保持ベルトが、ケーシングの側部と底部に掛け回して保持ベルト取付部に係留されている。ケーシングのフランジ部は、この保持ベルトの弾性力で外部取付部品のフランジ部を押圧することにより、外部取付部品のフランジ部に保持して固定されている。
【先行技術文献】
【特許文献】
【０００４】
【特許文献１】特開２００５−１６４１９号公報
【考案の概要】
【考案が解決しようとする課題】
【０００５】
しかしながら、特許文献１では、服地の洗濯時に、送風装置が空調服から取り外された後、送風装置を、再び洗濯後の服地に装着するとき、人が、服地に取付けられた外部取付部品のフランジ部に、ケーシングのフランジ部を取付けた後に、保持ベルトで、外部取付部品のフランジ部とケーシングのフランジ部とを固定するのを怠ってしまう場合がある。また、保持ベルトにおいて、経年劣化に起因した緩みや破損が生じる場合があるほか、空調服の着脱時に、保持ベルトが、何らかの理由で保持ベルト取付部から外れてしまう場合もある。このような場合、ケーシングのフランジ部と外部取付部品のフランジ部とが、保持ベルトの弾性力で押圧されず、互いに保持できていないため、空調服の着衣時や着替え時等に、送風装置が服地から脱落してしまう虞があり、使い勝手が悪く問題となる。
【０００６】
本考案は、上記問題点を解決するためになされたものであり、服地に送風機能を具備した空調被服を着用する人にとって、使い勝手の良い空調被服と、この空調被服に装着される空調被服用送風ユニットを提供することを目的とする。
【課題を解決するための手段】
【０００７】
上記目的を達成するために、本考案に係る空調被服用送風ユニットは、以下の構成を有する。
（１）服地に送風機能を具備した空調被服に装着する空調被服用送風ユニットで、プロペラを有し、該プロペラの回転をモータにより制御する駆動部と、該プロペラと該駆動部の周囲を通気可能に覆うケーシングと、を備える空調被服用送風ユニットにおいて、前記ケーシングは、前記プロペラの軸方向のうち、前記プロペラの回転により送風する風上側で、前記プロペラを前記プロペラの径方向に横切って覆う外側ケース部と、前記駆動部と接続した状態で、少なくとも前記駆動部の一部を覆う内側ケース部とからなり、前記外側ケース部には、当該外側ケース部の周りを囲うフランジが形成されていること、前記フランジと対向した位置に配置可能な押圧部を含む押圧部材を備えていること、当該空調被服用送風ユニットは、前記服地の外側からの挿入により、前記服地に形成された開口の外周縁部に前記フランジを当接させた状態で、前記開口に前記外側ケース部を配置すると共に、前記フランジと前記押圧部で前記外周縁部を挟み、前記押圧部材を螺合で固着することにより、前記服地に固定されること、を特徴とする。
（２）（１）に記載する空調被服用送風ユニットにおいて、前記押圧部材は、軸方向片側の先端に前記押圧部を有した円筒状に形成され、前記押圧部材の内周に、雌ネジが形成されていること、前記内側ケース部を設けた内側ケース周壁部の外周には、前記雌ネジと螺合可能な雄ネジが形成されていること、を特徴とする。
（３）（１）に記載する空調被服用送風ユニットにおいて、前記外側ケース部と前記内側ケース部とは、互いに別体であり、前記外側ケース部を設けたカバーは、前記フランジである第１フランジと、前記第１フランジの周方向に沿う位置に外側ケース周壁部を有し、前記外側ケース周壁部には、雄ネジまたは雌ネジのいずれか一方である第１ネジが形成されていること、前記内側ケース部を設けた本体は、前記プロペラの周方向に沿う位置に内側ケース周壁部と、前記押圧部である第２フランジを前記内側ケース周壁部の端に有して前記押圧部材をなし、前記内側ケース周壁部には、前記第１ネジと螺合可能で、雌ネジまたは雄ネジのいずれか一方である第２ネジがされていること、前記カバーと前記本体とは、前記第１ネジと前記第２ネジとの螺合により組み付けられ、前記第１フランジと前記第２フランジで前記外周縁部を挟み込んで、前記服地に固定されること、を特徴とする。
【０００８】
また、上記目的を達成するために、本考案に係る空調被服は、以下の構成を有する。
（４）送風を行う空調被服用送風ユニットが服地に装着された空調被服において、前記空調被服用送風ユニットは、（１）乃至（３）のいずれか１つに記載する空調被服用送風ユニットであること、を特徴とする。
【考案の効果】
【０００９】
上記構成を有する本考案の空調被服用送風ユニットの作用・効果について説明する。
（１）服地に送風機能を具備した空調被服に装着する空調被服用送風ユニットで、プロペラを有し、該プロペラの回転をモータにより制御する駆動部と、該プロペラと該駆動部の周囲を通気可能に覆うケーシングと、を備える空調被服用送風ユニットにおいて、ケーシングは、プロペラの軸方向のうち、プロペラの回転により送風する風上側で、プロペラをプロペラの径方向に横切って覆う外側ケース部と、駆動部と接続した状態で、少なくとも駆動部の一部を覆う内側ケース部とからなり、外側ケース部には、当該外側ケース部の周りを囲うフランジが形成されていること、フランジと対向した位置に配置可能な押圧部を含む押圧部材を備えていること、当該空調被服用送風ユニットは、服地の外側からの挿入により、服地に形成された開口の外周縁部にフランジを当接させた状態で、開口に外側ケース部を配置すると共に、フランジと押圧部で外周縁部を挟み、押圧部材を螺合で固着することにより、服地に固定されること、を特徴とする。この特徴により、服地の洗濯時に、本考案の空調被服用送風ユニットが空調被服から取り外された後、本考案の空調被服用送風ユニットを、再び洗濯後の服地に装着するような場合等でも、本考案の空調被服用送風ユニットは、服地に確実に保持されて、安定した状態で装着できている。また、本考案の空調被服用送風ユニットは、特許文献１と異なり、フランジと押圧部で服地の外周縁部を挟み込み、押圧部材を螺合で固着することにより、服地に固定されるため、空調被服の着衣時や着替え時等に、本考案の空調被服用送風ユニットが服地から脱落してしまうことがなく、使い勝手は良い。
【００１０】
従って、本考案に係る空調被服用送風ユニットによれば、服地に送風機能を具備した空調被服を着用する人にとって、使い勝手の良い空調被服を提供することができる、という優れた効果を奏する。
【００１１】
（２）に記載する空調被服用送風ユニットにおいて、押圧部材は、軸方向片側の先端に押圧部を有した円筒状に形成され、押圧部材の内周に、雌ネジが形成されていること、内側ケース部を設けた内側ケース周壁部の外周には、雌ネジと螺合可能な雄ネジが形成されていること、を特徴とする。この特徴により、本考案に係る空調被服用送風ユニットが服地に装着された状態でも、押圧部材は、内側ケース部の内側ケース周壁部に沿って取付けられるため、身体の腰付近に捲回する特許文献１の保持ベルトと異なり、本考案に係る空調被服用送風ユニット全体が、一箇所にコンパクトにまとまっている。そのため、本考案に係る空調被服用送風ユニットが装着された空調被服では、着衣者は、本考案に係る空調被服用送風ユニットに、それほど違和感を持たずに、空調被服を着用することができる。
【００１２】
（３）に記載する空調被服用送風ユニットにおいて、外側ケース部と内側ケース部とは、互いに別体であり、外側ケース部を設けたカバーは、フランジである第１フランジと、第１フランジの周方向に沿う位置に外側ケース周壁部を有し、外側ケース周壁部には、雄ネジまたは雌ネジのいずれか一方である第１ネジが形成されていること、内側ケース部を設けた本体は、プロペラの周方向に沿う位置に内側ケース周壁部と、押圧部である第２フランジを内側ケース周壁部の端に有して押圧部材をなし、内側ケース周壁部には、第１ネジと螺合可能で、雌ネジまたは雄ネジのいずれか一方である第２ネジがされていること、カバーと本体とは、第１ネジと第２ネジとの螺合により組み付けられ、第１フランジと第２フランジで外周縁部を挟み込んで、服地に固定されること、を特徴とする。この特徴により、本考案に係る空調被服用送風ユニットが服地に装着された状態でも、本考案に係る空調被服用送風ユニットは、カバーと本体のみで服地に固定できるため、身体の腰付近に捲回する特許文献１の保持ベルトと異なり、本考案に係る空調被服用送風ユニット全体が、一箇所にコンパクトにまとまっている。そのため、本考案に係る空調被服用送風ユニットが装着された空調被服では、着衣者は、本考案に係る空調被服用送風ユニットに、それほど違和感を持たずに、空調被服を着用することができる。
【００１３】
また、上記構成を有する本考案の空調被服の作用・効果について説明する。
（４）送風を行う空調被服用送風ユニットが服地に装着された空調被服において、空調被服用送風ユニットは、（１）乃至（３）のいずれか１つに記載する空調被服用送風ユニットであること、を特徴とする。この特徴により、本考案に係る空調被服用送風ユニットは、フランジと押圧部で服地の外周縁部を挟み込み、本体と押圧部材とを螺合で固着することにより、服地に常にしっかりと固定できているため、本考案に係る空調被服の着衣時や着替え時等の使用時に、本考案に係る空調被服用送風ユニットが服地から脱落してしまうことがない。従って、本考案に係る空調被服用送風ユニットを装着した本考案に係る空調被服は、着衣者にとって、取扱い易く、使い勝手も良い。
【図面の簡単な説明】
【００１４】
【図１】実施形態１，２に係る空調被服を例示した図であり、着衣した様子を示す説明図である。
【図２】実施形態１に係る空調被服用送風ユニットを、本体と押圧部材に分解した状態で示す説明図である。
【図３】図２に示す空調被服用送風ユニットの本体を示す正面図である。
【図４】実施形態１に係る空調被服用送風ユニットを空調被服に装着する方法を示す説明図である。
【図５】実施形態１の空調被服の作用を説明する図である。
【図６】実施形態２に係る空調被服用送風ユニットを、本体とカバーに分解した状態で示す説明図である。
【図７】図６に示す空調被服用送風ユニットの本体部を示す正面図である。
【図８】実施形態２に係る空調被服用送風ユニットを空調被服に装着する方法を示す説明図である。
【考案を実施するための形態】
【００１５】
以下、本考案に係る空調被服、及び空調被服用送風ユニットについて、実施形態１，２を図面に基づいて詳細に説明する。本考案の空調被服は、送風を行う空調被服用送風ユニットを服地に装着した被服であり、実施形態１，２では、例えば、冷房の設備がなく、または冷房の効きが十分でない暑い雰囲気下で、作業時に着衣する作業服のほか、体質で熱気を帯びた上体を風に晒すために着衣する上着等の服を、主な対象とした衣服である。
【００１６】
図１は、実施形態１，２に係る空調被服を例示した図であり、着衣した様子を示す説明図である。実施形態１，２では、図１に示すように、空調被服１は、上着の服地２のうち、例えば、腰を挟む背中の一部に、空調被服用送風ユニット１０（１０Ａ，１０Ｂ）を２つ（複数）装着して構成されている。空調被服１は、腰回りと首元との間を繋ぐファスナー（図示省略）を前面側に有すると共に、腰回り裾部に、伸縮性のあるゴムバンドを包含している。
【００１７】
＜実施形態１＞
実施形態１に係る空調被服用送風ユニットについて、説明する。図２は、実施形態１に係る空調被服用送風ユニットを、本体と押圧部材に分解した状態で示す説明図である。図３は、図２に示す空調被服用送風ユニットの本体を示す正面図である。
【００１８】
図２に示すように、実施形態１に係る空調被服用送風ユニット１０Ａは、大別して、本体２０と、押圧部材４０とからなり、本体２０には、送風を行うプロペラ２１を有し、このプロペラ２１の回転をモータ（図示省略）で制御する駆動部２２と、プロペラ２１と駆動部２２の周囲を通気可能に覆うケーシング３０と、を備えている。
【００１９】
空調被服用送風ユニット１０Ａは、例えば、一次電池や、リチウムイオン電池等の二次電池を用いた携帯用バッテリ５０を、駆動部２２のモータの電源として要し、空調被服１では、携帯用バッテリ５０は、服地の内側２ｂに設けたポケット等に収容される。携帯用バッテリ５０は、本実施形態１では、出力５Ｖ、バッテリ容量５２００ｍＡｈ等の仕様で構成された汎用的な電源である。この携帯用バッテリ５０は、駆動部２２と電気的に接続したケーブル５１の端部にあるＵＳＢ（Universal Serial Bus）規格のコネクタ５２と接続可能なポートを有しており、このポートを通じて、他の電源から充電可能となっている。
【００２０】
駆動部２２は、ケーブル５１を介して携帯用バッテリ５０と導通した状態になると、プロペラ２１が、例えば、モータに対し、電圧５．５Ｖ／電流２．２Ａで入力され、回転数４２００ｒｐｍ等で回転する。プロペラ２１が回転すると、プロペラ２１の回転に伴う風が、図２中、Ｕ側からＤ側に向けて送風される。
【００２１】
ケーシング３０は、図２及び図３に示すように、プロペラ２１の軸Ｋ方向のうち、プロペラ２１の回転により送風する風上側Ｕで、プロペラ２１をその径方向（図２中、左右方向）に横切って覆う外側ケース部３１と、駆動部２２と接続した状態で、駆動部２２の風下側Ｄを覆う内側ケース部３６とからなる。実施形態１に係るケーシング３０では、内側ケース部３６は、プロペラ２１の外周側側方と、風上側Ｕにある駆動部２２の一部の外周側側方とを覆う円筒状の内側ケース周壁部３７に設けられており、この内側ケース周壁部３７の外周には、雄ネジ３８が形成されている。
【００２２】
外側ケース部３１と内側ケース部３６とは、内側ケース周壁部３７を介して一体に連結されており、具体的には、外側ケース部３１は、内側ケース周壁部３７の風上側Ｕで、内側ケース部３６と接続されている。外側ケース部３１の周りには、当該外側ケース部３１を囲う環状のフランジ３２が形成されており、フランジ３２の最外周径は、１００ｍｍである。また、外側ケース部３１と内側ケース部３６を合わせた空調被服用送風ユニット１０Ａ全体の奥行寸法（図５中、左右方向の寸法）は、４５ｍｍである。
【００２３】
押圧部材４０は、本実施形態１では、図２に示すように、フランジ３２と対向した位置に配置可能な押圧部４１を、軸Ｋ方向片側の先端位置に有した円筒状で薄肉の部材である。押圧部材４０の内周には、内側ケース周壁部３７の雄ネジ３８と螺合可能な雌ネジ４２が形成されている。押圧部材４０の外周には、滑り止めとなる突部が、断続的に設けられており、本体２０の内側ケース周壁部３７の雄ネジ３８と、押圧部材４０の雌ネジ４２とを螺合するにあたり、押圧部材４０は、この突部にしっかりと把持されて回転し易くなっている。
【００２４】
図４は、実施形態１に係る空調被服用送風ユニットを空調被服に装着する方法を示す説明図である。図５は、実施形態１の空調被服の作用を説明する図である。空調被服用送風ユニット１０Ａの装着では、図４に示すように、はじめに本体２０の風下側Ｄ（図２中、下側）を、空調被服１の服地２に形成された開口３内に、服地２の外側２ａから挿入し、開口３の外周縁部４にフランジ３２を当接させた状態で、外側ケース部３１を開口３内に配置する。次に、押圧部材４０を、服地２の内側２ｂから開口３の外周縁部４近傍に配置し、本体２０と押圧部材４０とを相対的に回転させて組み付けられ、本体２０の雄ネジ３８と押圧部材４０の雌ネジ４２とを螺合で固着することにより、フランジ３２と押圧部４１によって、服地２の外周縁部４を挟み込む。本体２０と押圧部材４０とは、フランジ３２と押圧部４１で服地２の外周縁部４を挟み込んだ状態で、服地２に固定される。かくして、図１及び図５に示すように、空調被服用送風ユニット１０Ａが、服地２に固定される。
【００２５】
次に、空調被服１の作用について、説明する。空調被服１を着衣する人は、駆動部２２と携帯用バッテリ５０とを導通した状態にしておき、携帯用バッテリ５０の落下や、外側ケース部３１の通気口を通じて、異物の侵入に起因したプロペラ２１の損傷等に注意を払いながら、通常の作業服の上着と同じ要領で着る。このとき、着衣者は、自身の身体に空調被服１の腰回り裾を密着させ、空調被服１のファスナーを首元までしっかりと閉じる。
【００２６】
空調被服１を着衣した状態では、空調被服用送風ユニット１０Ａにより、プロペラ２１の回転に伴う風が、図５に示す矢印のように、外部側（風上側Ｕ）から外側ケース部３１の通気口を経て、内側ケース部３６の通気口を流通して、アンダーウエアー等を着衣した身体側（風下側Ｄ）に送風される。身体側に通された風は、空調被服１の腰回りの裾から漏れず、空調被服１の内側（服地の内側２ｂ）とアンダーウエアー等との間に生じている内部空間を通じて、首回りに向けて流れ、図１に示すように、空調被服１の襟から排気される。このとき、身体から発した気化熱は、この内部空間を流れる通気によって体外へと放熱されるため、空調被服１を着衣した人は、空調被服用送風ユニット１０Ａによって涼を取ることができる。
【００２７】
次に、実施形態１に係る空調被服用送風ユニット１０Ａの作用・効果について説明する。実施形態１に係る空調被服用送風ユニット１０Ａは、服地２に送風機能を具備した空調被服１に装着する空調被服用送風ユニットで、プロペラ２１を有し、プロペラ２１の回転をモータにより制御する駆動部２２と、プロペラ２１と駆動部２２の周囲を通気可能に覆うケーシング３０と、を備える空調被服用送風ユニットである。ケーシング３０は、プロペラ２１の軸Ｋ方向のうち、プロペラ２１の回転により送風する風上側Ｕで、プロペラ２１をその径方向に横切って覆う外側ケース部３１と、駆動部２２と接続した状態で、少なくとも駆動部２２の一部を覆う内側ケース部３６とからなり、外側ケース部３１には、当該外側ケース部３１の周りを囲うフランジ３２が形成されていること、フランジ３２と対向した位置に配置可能な押圧部４１を含む押圧部材４０を備えていること、当該空調被服用送風ユニット１０Ａは、服地２の外側２ａからの挿入により、服地２に形成された開口３の外周縁部４にフランジ３２を当接させた状態で、開口３に外側ケース部３１を配置すると共に、フランジ３２と押圧部４１で外周縁部４を挟み、押圧部材４０を螺合で固着することにより、服地２に固定されること、を特徴とする。この特徴により、服地２の洗濯時に、空調被服用送風ユニット１０Ａが空調被服１から取り外された後、空調被服用送風ユニット１０Ａを、再び洗濯後の服地２に装着するような場合等でも、空調被服用送風ユニット１０Ａは、服地２に確実に保持されて、安定した状態で装着できている。
【００２８】
特許文献１は、送風装置を保持ベルトの弾性力で身体に固定させているため、身体の固定に必要な保持ベルトの取付けを怠ることや、身体の腰付近に捲回した保持ベルトの位置ずれ、劣化による保持ベルトの伸び等に起因して、空調服の着衣時や着替え時等に、送風装置が服地から脱落してしまう虞があり、使い勝手が悪かった。これに対し、実施形態１に係る空調被服用送風ユニット１０Ａは、特許文献１と異なり、フランジ３２と押圧部４１で服地２の外周縁部４を挟み込み、押圧部材４０を螺合で固着することにより、服地２に固定される。そのため、空調被服１の着衣時や着替え時等に、空調被服用送風ユニット１０Ａが服地２から脱落してしまうことがなく、使い勝手は良い。
【００２９】
従って、実施形態１に係る空調被服用送風ユニット１０Ａによれば、服地２に送風機能を具備した空調被服１を着用する人にとって、使い勝手の良い空調被服１を提供することができる、という優れた効果を奏する。
【００３０】
また、実施形態１に係る空調被服用送風ユニット１０Ａでは、押圧部材４０は、軸Ｋ方向片側の先端に押圧部４１を有した円筒状に形成され、押圧部材４０の内周に、雌ネジ４２が形成されていること、内側ケース部３６を設けた内側ケース周壁部３７の外周には、雌ネジ４２と螺合可能な雄ネジ３８が形成されていること、を特徴とする。この特徴により、空調被服用送風ユニット１０Ａが服地２に装着された状態でも、円筒状で薄肉の押圧部材４０は、内側ケース部３６の内側ケース周壁部３７に沿って本体２０に取付けられるため、身体の腰付近に捲回する特許文献１の保持ベルトと異なり、空調被服用送風ユニット１０Ａ全体が、一箇所にコンパクトにまとまっている。そのため、空調被服用送風ユニット１０Ａが装着された空調被服１では、着衣者は、空調被服用送風ユニット１０Ａに、それほど違和感を持たずに、空調被服１を着用することができる。
【００３１】
＜実施形態２＞
次に、実施形態２に係る空調被服用送風ユニットについて、説明する。実施形態１の空調被服用送風ユニット１０Ａでは、ケーシング３０を、外側ケース部３１と内側ケース部３６とを一体化した構造で構成し、押圧部材４０を別部材で設けた。これに対し、実施形態２の空調被服用送風ユニットでは、ケーシングを、外側ケース部と内側ケース部とを分割して２つの部材で構成し、押圧部材の機能を内側ケース部側の部材に兼ね備えている。実施形態１と実施形態２では、ケーシングと押圧部材の構成、空調被服用送風ユニットのサイズ等が異なるが、それ以外の部分は、実施形態１と同様である。従って、実施形態１とは異なる部分を中心に説明し、その他について説明を簡略または省略する。
【００３２】
図６は、実施形態２に係る空調被服用送風ユニットを、本体とカバーに分解した状態で示す説明図である。図７は、図６に示す空調被服用送風ユニットの本体を示す正面図である。
【００３３】
図６に示すように、実施形態２に係る空調被服用送風ユニット１０Ｂは、大別して、カバー１２０Ａと、本体１２０Ｂとからなり、この空調被服用送風ユニット１０Ｂは、ケーシング１３０を備えている。ケーシング１３０は、図６及び図７に示すように、プロペラ２１の軸Ｋ方向のうち、プロペラ２１の回転により送風する風上側Ｕで、プロペラ２１をその径方向Ｒ（図６中、左右方向）に横切って覆う外側ケース部１３１と、駆動部２２と接続した状態で、駆動部２２を覆う内側ケース部１３６とからなる。実施形態２に係るケーシング１３０では、外側ケース部１３１と内側ケース部１３６とが、互いに別体であり、外側ケース部１３１は、カバー１２０Ａに設けられ、内側ケース部１３６は、本体１２０Ｂに設けられている。
【００３４】
カバー１２０Ａは、外側ケース部１３１の周りを囲う環状の第１フランジ１３２（本考案のフランジに対応）と、第１フランジ１３２の周方向（図６中、軸Ｋを中心とした周方向）に沿う位置に外側ケース周壁部１３３を有し、この外側ケース周壁部１３３には、雄ネジ１３４（本考案の第１ネジに対応）が形成されている。本体１２０Ｂは、プロペラ２１の周方向に沿う位置に内側ケース周壁部１３７と、押圧部である第２フランジ１４１を内側ケース周壁部１３７の端に有して押圧部材１４０をなし、内側ケース周壁部１３７には、カバー１２０Ａの雄ネジ１３４と螺合可能な雌ネジ１３８（本考案の第２ネジに対応）が形成されている。
【００３５】
空調被服用送風ユニット１０Ｂの仕様として、駆動部２２は、ケーブル５１を介して携帯用バッテリ５０と導通した状態になると、プロペラ２１が、例えば、モータに対し、電圧５．５Ｖ／電流２Ａで入力され、回転数４９００ｒｐｍ等で回転する。また、カバー１２０Ａにおける第１フランジ１３２の最外周径は、８２ｍｍであり、カバー１２０Ａと本体１２０Ｂを組み付けた空調被服用送風ユニット１０Ｂ全体の奥行寸法（参照する図５中、空調被服用送風ユニット１０Ａの左右方向の寸法に相当）は、３８ｍｍである。
【００３６】
図８は、実施形態２に係る空調被服用送風ユニットを空調被服に装着する方法を示す説明図である。空調被服用送風ユニット１０Ｂの装着では、図８に示すように、はじめにカバー１２０Ａの外側ケース周壁部１３３を、服地２に形成された開口３内に、空調被服１の服地２の外側２ａから挿通し、開口３の外周縁部４に第１フランジ１３２を当接させた状態で、外側ケース部１３１を開口３内に配置する。次に、本体１２０Ｂの内側ケース周壁部１３７の第２フランジ１４１を、服地２の内側２ｂから開口３の外周縁部４近傍に配置する。次に、カバー１２０Ａと本体１２０Ｂとを相対的に回転させて組み付けられ、カバー１２０Ａの雄ネジ１３４と本体１２０Ｂの雌ネジ１３８との螺合で固着することにより、第１フランジ１３２と第２フランジ１４１で服地２の外周縁部４を挟み込む。カバー１２０Ａと本体１２０Ｂとは、第１フランジ１３２と第２フランジ１４１で服地２の外周縁部４を挟み込んだ状態で、服地２に固定される。かくして、空調被服用送風ユニット１０Ｂが、図１に示すように、服地２に装着される。
【００３７】
次に、実施形態２に係る空調被服用送風ユニット１０Ｂの作用・効果について説明する。実施形態１に係る空調被服用送風ユニット１０Ａと同様、実施形態２に係る空調被服用送風ユニット１０Ｂでも、服地２の洗濯時に、空調被服用送風ユニット１０Ｂが空調被服１から取り外された後、空調被服用送風ユニット１０Ｂを、再び洗濯後の服地２に装着するような場合等でも、空調被服用送風ユニット１０Ｂは、服地２に確実に保持されて、安定した状態で装着できている。また、実施形態２に係る空調被服用送風ユニット１０Ｂは、第１フランジ１３２と第２フランジ１４１で服地２の外周縁部４を挟み込み、カバー１２０Ａと本体１２０Ｂとを、雄ネジ１３４と雌ネジ１３８との螺合で固着することにより、服地２に常にしっかりと固定できている。そのため、空調被服１の着衣時や着替え時等に、空調被服用送風ユニット１０Ｂが服地２から脱落してしまうことがなく、使い勝手は良い。
【００３８】
従って、実施形態２に係る空調被服用送風ユニット１０Ｂによれば、服地２に送風機能を具備した空調被服１を着用する人にとって、使い勝手の良い空調被服１を提供することができる、という優れた効果を奏する。
【００３９】
また、実施形態２に係る空調被服用送風ユニット１０Ｂでは、外側ケース部１３１と内側ケース部１３６とは、互いに別体であり、外側ケース部１３１を設けたカバー１２０Ａは、フランジである第１フランジ１３２と、第１フランジ１３２の周方向に沿う位置に外側ケース周壁部１３３を有し、外側ケース周壁部１３３には、雄ネジ１３４が形成されていること、内側ケース部１３６を設けた本体１２０Ｂは、プロペラ２１の周方向に沿う位置に内側ケース周壁部１３７と、押圧部である第２フランジ１４１を内側ケース周壁部１３７の端に有して押圧部材１４０をなし、内側ケース周壁部１３７には、雄ネジ１３４と螺合可能な雌ネジ１３８がされていること、カバー１２０Ａと本体１２０Ｂとは、雄ネジ１３４と雌ネジ１３８との螺合により組み付けられ、第１フランジ１３２と第２フランジ１４１で外周縁部４を挟み込んで、服地２に固定されること、を特徴とする。この特徴により、空調被服用送風ユニット１０Ｂが服地２に装着された状態でも、空調被服用送風ユニット１０Ｂは、カバー１２０Ａと本体１２０Ｂのみで服地２に固定できるため、身体の腰付近に捲回する特許文献１の保持ベルトと異なり、空調被服用送風ユニット１０Ｂ全体が、一箇所にコンパクトにまとまっている。そのため、空調被服用送風ユニット１０Ｂが装着された空調被服１では、着衣者は、空調被服用送風ユニット１０Ｂに、それほど違和感を持たずに、空調被服１を着用することができる。
【００４０】
また、実施形態１，２に係る空調被服１の作用・効果について説明する。実施形態１，２に係る空調被服１は、送風を行う空調被服用送風ユニット１０（１０Ａ，１０Ｂ）を服地２に装着していること、を特徴とする。この特徴により、実施形態１では、空調被服用送風ユニット１０Ａは、フランジ３２と押圧部４１で服地２の外周縁部４を挟み込み、本体２０と押圧部材４０とを、雄ネジ３８と雌ネジ４２との螺合で固着することにより、服地２に常にしっかりと固定できているため、空調被服１の着衣時や着替え時等に、空調被服用送風ユニット１０Ａが服地２から脱落してしまうことがない。また、実施形態２では、空調被服用送風ユニット１０Ｂは、第１フランジ１３２と第２フランジ１４１で服地２の外周縁部４を挟み込み、カバー１２０Ａと本体１２０Ｂとを、雄ネジ１３４と雌ネジ１３８との螺合で固着することにより、服地２に常にしっかりと固定できているため、空調被服１の着衣時や着替え時等の使用時に、空調被服用送風ユニット１０Ｂが服地２から脱落してしまうことがない。従って、空調被服用送風ユニット１０を装着した空調被服１は、着衣者にとって、取扱い易く、使い勝手も良い。
【００４１】
以上において、本考案を実施形態に即して説明したが、本考案は上記実施形態１，２に限定されるものではなく、その要旨を逸脱しない範囲で、適宜変更して適用できる。
（１）例えば、実施形態１，２では、空調被服用送風ユニット１０（１０Ａ，１０Ｂ）を服地２の背中側の腰付近に２箇所装着した空調被服１を挙げたが、本考案の空調被服で、服地に対し、本考案の空調被服用送風ユニットを装着する位置や数量は、実施形態１，２に限定されるものではなく、本考案の空調被服用送風ユニットが、服地に装着されていれば、どこでも良く、いくつでも良い。また、本考案の空調被服は、作業着の上着以外に、ズボンや帽子等を対象としても良い。
【００４２】
（２）例えば、実施形態１，２では、空調被服用送風ユニット１０Ａの寸法を、フランジ３２の最外周径１００ｍｍ、奥行寸法４５ｍｍとし、空調被服用送風ユニット１０Ｂの寸法を、第１フランジ１３２の最外周径８２ｍｍ、奥行寸法３８ｍｍとしたが、本考案の空調被服用送風ユニットの寸法は、実施形態１，２に限定されるものではなく、適宜変更可能である。
【００４３】
（３）実施形態２では、カバー１２０Ａの外側ケース周壁部１３３に、第１ネジとして雄ネジ１３４を、本体１２０Ｂの内側ケース周壁部１３７に、第２ネジとして雌ネジ１３８を形成し、組み付け状態では、外側ケース周壁部１３３を内側ケース周壁部１３７の内側とする構造の空調被服用送風ユニット１０Ｂを挙げた。しかしながら、本考案の空調被服用送風ユニットは、カバーの外側ケース周壁部に、第１ネジとして雌ネジを、本体の内側ケース周壁部に、第２ネジとして雄ネジを形成した空調被服用送風ユニットでも良く、本体の内側ケース周壁部が、カバーの外側ケース周壁部の外側を覆う構造であっても良い。
【符号の説明】
【００４４】
１  空調被服
２  服地
２ａ  服地の外側
３  開口
４  外周縁部
１０，１０Ａ，１０Ｂ  空調被服用送風ユニット
２１  プロペラ
２２  駆動部
３０，１３０  ケーシング
３１，１３１  外側ケース部
３２  フランジ
３６，１３６  内側ケース部
３８  雄ネジ
４０，１４０  押圧部材
４１  押圧部
４２  雌ネジ
１３２  第１フランジ（フランジ）
１３３  外側ケース周壁部
１３４  雄ネジ（第１ネジ）
１３７  内側ケース周壁部
１３８  雌ネジ（第２ネジ）
１４１  第２フランジ（押圧部）
Ｋ  軸
Ｕ  風上側
【図１】
0003213564.tif 000003
【図２】
0003213564.tif 000004
【図３】
0003213564.tif 000005
【図４】
0003213564.tif 000006
【図５】
0003213564.tif 000007
【図６】
0003213564.tif 000008
【図７】
0003213564.tif 000009
【図８】
0003213564.tif 000010